(57)【要約】【課題】本考案は、任意に移動でき、長時間作業を行っても手腕に疲労感がなく、円錐台形の剥ぎ取り刃部を回転させて魚の鱗を取る電動うろこ取り機を提供する。【解決手段】移動自在とした吊下げ支柱１と、該吊下げ支柱１に釣り竿のように可撓性を持ってグリップ部２及び剥ぎ取り刃部３を保持する吊下げ竿４と、前記吊下げ支柱１の後方に吊下げ支持され、前記グリップ部２及び剥ぎ取り刃部３を駆動する剥ぎ取り機本体５とからなり、前記グリップ部２から手を放した状態でまな板に載せた魚の上方５ｃｍ位に留まるように、支持チェーン２５の長さ調節を行い、電動ドリル２６の高さ位置決めを行う。また、吊下げ支柱１の位置は、右利きの場合フレキシブルシャフト２７が常に直線状態で動くように身体の右後方に配置する。【選択図】図１
0003207869.tif 000002
【実用新案登録請求の範囲】
【請求項１】
移動自在とする吊下げ支柱と、該吊下げ支柱に釣り竿のように可撓性を持ってグリップ部及び剥ぎ取り刃部を保持する吊下げ竿と、前記吊下げ支柱の後端に吊下げ支持され、前記グリップ部及び剥ぎ取り刃部を駆動する剥ぎ取り機本体とからなることを特徴とする電動うろこ取り機。
【請求項２】
前記吊下げ支柱は、キャスターにより移動自在とする台車と、該台車に締付け具により固定された土台ブロックと、該土台ブロックの中央に立設された固定筒と、該固定筒に下端筒を嵌合され、二股状に分かれた上端筒を備えた略Ｙ字状の下部固定部材と、前記上端筒にそれぞれ嵌合され、身体長さ程度の円棒状の前方支持柱及び後方支持柱と、前記下部固定部材の上端筒を前方に対して並列に配置され、前記前方支持柱及び後方支持柱を前記上端筒に嵌合し、前記前方支持柱及び後方支持柱を交差させ、前後に嵌合させる直線状の上部固定部材と、該上部固定部材の両端に嵌合されたＬ字状の連結パイプとからなることを特徴とする請求項１記載の電動うろこ取り機。
【請求項３】
前記吊下げ竿は、連結パイプを連結するように架け渡される保持筒と、該保持筒の前端に長さ調節自在に保持された弾性素材からなる吊り桿と、該吊り桿の先端に円環を設け、一端を連結パイプに設けた止め金具に固定され、前記円環を通し、他端にグリップ部及び剥ぎ取り刃部を保持するループを形成した吊り紐とからなることを特徴とする請求項１記載の電動うろこ取り機。
【請求項４】
前記剥ぎ取り機本体は、保持筒の後端に吊下げ係止される吊下げワイヤーと、該吊下げワイヤーの先端に固定された支持チェーンと、該支持チェーンにより緊縛された電動ドリルと、該電動ドリルのチャックに接合され、軸回転するフレキシブルシャフトと、該フレキシブルシャフトの先端に固定されたグリップ部と、該グリップ部の先端に軸回転自在に連結された円錐台形の剥ぎ取り刃部とからなることを特徴とする請求項１記載の電動うろこ取り機。
【考案の詳細な説明】
【技術分野】
【０００１】
本考案は、任意に移動でき、長時間作業を行っても手腕に疲労感がなく、円錐台形の剥ぎ取り刃部を回転させて魚の鱗を取る電動うろこ取り機に関するものである。
【背景技術】
【０００２】
以前、本出願人は、長時間行っても疲労感がなく、円錐台の剥ぎ取り刃部を回転させて魚の鱗を取る回転式のうろこ取り機を開発した（特許文献１を参照）。
この公知技術は、電動機と、電動機に接続され、電動機からの軸回転を伝達するフレキシブルシャフトと、該フレキシブルシャフトの先端に取り付けられるグリップ部と、該グリップ部を介して軸回転可能に取り付けられた円錐台の剥ぎ取り刃部とから構成される剥ぎ取り機本体と、該剥ぎ取り機本体のグリップ部及び剥ぎ取り刃部を上下左右自在に移動できるように吊り下げ保持する吊下げワイヤーとからなり、該吊下げワイヤーの保持具をフレキシブルシャフトのグリップ部に通し、前記グリップ部及び剥ぎ取り刃部の上下左右の動きに連れて前記吊下げワイヤーのコイルスプリングが伸び縮みし、前記グリップ部及び剥ぎ取り刃部の重さを支えるうろこ取り機である。
【０００３】
さらに、本出願人は、うろこ取り機本体と、うろこ取り部とが同一系内に収められて簡単に持ち運びでき、作業性が特段に向上し、電動ドリルの回転速度の調整作業が簡単なうろこ取り機を開発した（特許文献２を参照）。
この公知技術は、電動ドリルを位置決め収納する駆動ボックスを移動停止自在な架台に設け、また摺動台にターンテーブルを介して案内される案内座に上下揺動自在に駆動ボックスを支持し、前記電動ドリルのチャックに接合されるうろこ取り部は、前記架台に接合される吊下支柱を介してコイルスプリングに係着され、スピードコントローラーは前記駆動ボックスの前面に突出した回転ノブにより、ネジ軸を介してその先端部の押圧ヘッドで引金スイッチを押圧するうろこ取り機である。
【０００４】
上記前者（特許文献１）の公知技術は、天井からの吊下げワイヤーによりグリップ部及び剥ぎ取り刃部の重さを支えるため、魚の鱗の剥ぎ取り作業を長時間行っても疲労感がなく、身割れや皮の傷などの問題がなく、かつ安全性の高い魚のうろこ取り機であるが、吊下げワイヤーが天井に固定されているので調理場又は作業場を任意に移動できない問題があった。
上記後者（特許文献２）の公知技術は、移動停止自在な架台に電動ドリルを位置決め収納する駆動ボックスが設けられているため、調理場又は作業場を任意に移動することができ、作業性が向上したが、架台の上に駆動ボックス及びターンテーブルを設けているので作業場周辺に広いスペースを必要とし、小回りが利かない等の問題があった。
それらの問題を解決し、移動自在とし、小回りが利くようにしたのが、本考案の電動うろこ取り機である。
【先行技術文献】
【特許文献】
【０００５】
【特許文献１】実用新案登録第３１９７５２９号公報
【特許文献２】実用新案登録第３１９９５０４号公報
【考案の概要】
【考案が解決しようとする課題】
【０００６】
本考案は、任意に移動でき、長時間作業を行っても手腕に疲労感がなく、円錐台形の剥ぎ取り刃部を回転させて魚の鱗を取る電動うろこ取り機を提供することを目的とする。
【課題を解決するための手段】
【０００７】
本考案の電動うろこ取り機は、移動自在とする吊下げ支柱と、該吊下げ支柱に釣り竿のように可撓性を持ってグリップ部及び剥ぎ取り刃部を保持する吊下げ竿と、前記吊下げ支柱の後端に吊下げ支持され、前記グリップ部及び剥ぎ取り刃部を駆動する剥ぎ取り機本体とからなる。
【０００８】
前記吊下げ支柱は、キャスターにより移動自在とする台車と、該台車に締付け具により固定された土台ブロックと、該土台ブロックの中央に立設された固定筒と、該固定筒に下端筒を嵌合され、二股状に分かれた上端筒を備えた略Ｙ字状の下部固定部材と、前記上端筒にそれぞれ嵌合され、身体長さ程度の円棒状の前方支持柱及び後方支持柱と、前記下部固定部材の上端筒を前方に対して並列に配置され、前記前方支持柱及び後方支持柱を前記上端筒に嵌合し、前記前方支持柱及び後方支持柱を交差させ、前後に嵌合支持する直線状の上部固定部材と、該上部固定部材の両端に嵌合されたＬ字状の連結パイプとからなる。
【０００９】
前記吊下げ竿は、連結パイプを連結するように架け渡される保持筒と、該保持筒の前端に長さ調節自在に保持された弾性素材からなる吊り桿と、該吊り桿の先端に円環を設け、一端を連結パイプに設けた止め金具に固定され、前記円環を通し、他端にグリップ部及び剥ぎ取り刃部を保持するループを形成した吊り紐とからなる。
【００１０】
前記剥ぎ取り機本体は、保持筒の後端に吊下げ係止される吊下げワイヤーと、該吊下げワイヤーの先端に固定された支持チェーンと、該支持チェーンにより緊縛された電動ドリルと、該電動ドリルのチャックに接合され、軸回転するフレキシブルシャフトと、該フレキシブルシャフトの先端に固定されたグリップ部と、該グリップ部の先端に軸回転自在に連結された円錐台形の剥ぎ取り刃部とからなる。
【考案の効果】
【００１１】
本考案の電動うろこ取り機は、移動自在とする吊下げ支柱と、該吊下げ支柱に釣り竿のように可撓性を持ってグリップ部及び剥ぎ取り刃部を保持する吊下げ竿と、前記吊下げ支柱の後端に吊下げ支持され、グリップ部及び剥ぎ取り刃部を駆動する剥ぎ取り機本体とからなるので、魚の鱗の剥ぎ取り作業負担を軽くすることができ、魚の鱗の剥ぎ取り作業を長時間行っても疲労感がなく、身割れや皮の傷などの問題がなく、かつ移動自在とし、小回りが利く安全性の高い利用ができる。
【図面の簡単な説明】
【００１２】
【図１】本考案の電動うろこ取り機の斜視図である。
【図２】吊下げ竿の説明図である。
【図３】本考案の電動うろこ取り機の着座姿勢でのうろこ剥ぎ取り作業を示す説明図である。
【図４】本考案の電動うろこ取り機の起立姿勢でのうろこ剥ぎ取り作業を示す説明図である。
【考案を実施するための形態】
【００１３】
本考案の電動うろこ取り機の一実施例を添付図面に基づいて、以下に説明する。
図１の斜視図に示すように、本考案の電動うろこ取り機は、移動自在とした吊下げ支柱１と、該吊下げ支柱１に釣り竿のように可撓性を持ってグリップ部２及び剥ぎ取り刃部３を保持する吊下げ竿４と、前記吊下げ支柱１の後方に吊下げ支持され、前記グリップ部２及び剥ぎ取り刃部３を駆動する剥ぎ取り機本体５とからなる。
【００１４】
前記吊下げ支柱１は、キャスター６により移動自在とした台車７と、該台車７に締付け具８により固定された土台ブロック９と、該土台ブロック９の中央に立設された固定筒１０と、該固定筒１０に下端筒１１を嵌合され、二股状に分かれた上端筒１２を備えた略Ｙ字状の下部固定部材１３と、前記上端筒１２にそれぞれ嵌合され、身体長さ程度の円棒状の前方支持柱１４及び後方支持柱１５と、前記下部固定部材１３の上端筒１２を前方に対して並列に配置され、前記前方支持柱１４及び後方支持柱１５を前記上端筒１２に嵌合し、前記前方支持柱１４及び後方支持柱１５を交差させ、前後に嵌合させる直線状の上部固定部材１６と、該上部固定部材１６の両端に嵌合されたＬ字状の連結パイプ１７とからなる。
【００１５】
前記吊下げ竿４は、前記連結パイプ１７を連結するように架け渡された保持筒１８と、該保持筒１８の前端に長さ調節自在に保持された弾性素材からなる吊り桿１９と、該吊り桿１９の先端に円環２０を設け、一端を連結パイプ１７に設けた止め金具２１に固定され、前記円環２０を通し、他端にグリップ部２及び剥ぎ取り刃部３を保持するループ２２を形成した吊り紐２３とからなる。
【００１６】
前記剥ぎ取り機本体５は、前記保持筒１８の後端にＬ字型パイプ３１を取り付け、前記Ｌ字型パイプ３１に吊下げ係止された吊下げワイヤー２４と、該吊下げワイヤー２４の先端に固定された支持チェーン２５と、該支持チェーン２５により緊縛された電動ドリル２６と、該電動ドリル２６のチャック（図示省略）に接合され、軸回転するフレキシブルシャフト２７と、該フレキシブルシャフト２７の先端に固定されたグリップ部２と、該グリップ部２の先端に軸回転自在に連結された円錐台形の剥ぎ取り刃部３とからなる。
【００１７】
前記電動ドリル２６は、電源コード２８の途中に設けたＯＮ／ＯＦＦスイッチ２９により駆動され、支持チェーン２５を通して鯛形状を備えた電動機カバー３０により覆い隠される。
【００１８】
図２の説明図に示すように、前記吊下げ竿４は、保持筒１８の前端に長さ調節自在に保持された弾性素材からなる吊り桿１９と、該吊り桿１９の先端に円環２０を設け、一端を連結パイプ１７に設けた止め金具２１に固定され、前記円環２０を通し、他端にグリップ部２及び剥ぎ取り刃部３を保持するループ２２を形成した吊り紐２３とからなる。
【００１９】
次に、本考案の電動うろこ取り機の操作動作を添付図面に基づいて、以下に説明する。
図３に示す着座姿勢の説明図において、吊下げ竿４の吊り紐２３のループ２２を剥ぎ取り刃部３及びグリップ部２に通し、前記グリップ部２及び剥ぎ取り刃部３を吊下げ竿４で保持する。そして、前記グリップ部２から手を放した状態でまな板に載せた魚の上方５ｃｍ位に留まるように、吊り紐２３を止め金具２１に絡め長さ調整し、支持チェーン２５の長さも調節を行い、電動ドリル２６の高さ位置決めを行う。また、吊下げ支柱１の位置は、右利きの場合フレキシブルシャフト２７が常に無理なく直線状態で動くように身体の右後方に配置する。
したがって、着座姿勢でグリップ部２を握った状態では、吊下げ竿４でグリップ部２及び剥ぎ取り刃部３を保持しているので、グリップ部２及び剥ぎ取り刃部３の重さを感じることはない。そのため、持ち続ける力を必要とせず、逆に腕の重さを載せて上から下に押し下げながら魚体の上を左右、前後に軽く、軽く、１０枚刃の剥ぎ取り刃部３を移動させることで、長時間楽に作業することができる。
【００２０】
図４に示す起立姿勢の説明図においても同様に、吊下げ竿４の吊り紐２３のループ２２を剥ぎ取り刃部３及びグリップ部２に通し、前記グリップ部２及び剥ぎ取り刃部３を吊下げ竿４で保持する。そして、前記グリップ部２から手を放した状態でまな板に載せた魚の上方５ｃｍ位に留まるように、釣り紐２３を止め金具２１に絡め長さ調整し、支持チェーン２５の長さも調節を行い、電動ドリル２６の高さ位置決めを行い、吊下げ支柱１の位置はフレキシブルシャフト２７が常に無理なく直線状態で動くように身体の右後方に配置する。
前記グリップ部２の位置を中央部にセットすれば、動かしたグリップ部２とは逆の方向への力（反発力）が、常に中央部に戻るように生じ、手を離しても瞬時に両手が使える。また、前記グリップ部２の重さは吊下げ状態で０ｇ、上下左右水平移動での力も吊下げ支柱１全体の“しなり”の利用で軽く、素早く、手首への負担も少なくどんな位置に刃先を動かしても裏の力（４次元）が働き次の動作に入る時も、戻そうとする意識行動をする必要もなく無意識のうちに時間の短縮に繋がり、疲れを感ずることなく、うろこ取り作業で起こる腱鞘炎になることもない。
前記グリップ部２及び剥ぎ取り刃部３は３００ｇの重さがあるが、吊下げることで前記グリップ部２及び剥ぎ取り刃部３の重さを支えるので剥ぎ取り作業負担を軽くする。
【００２１】
吊下げ竿４の吊り桿１９と吊下げ支柱１の二本の前方支持柱１４及び後方支持柱１５が、また吊下げ支柱１の上部で二本の前方支持柱１４及び後方支持柱１５が交差することで剥ぎ取り刃部３の左右、前後の動きに合わせて全体が寄り添うように“しなり”を働かせて、１０枚の刃を持つ剥ぎ取り刃部３をまな板上で自由に動かすことができる。
この“しなり”は単にグリップ部２を持ち支える働きだけをするのではなく、反発力（復元力）を利用してどの位置からも最短で設定位置に瞬時に戻り、水平移動の力も半減させる。前記グリップ部２は目に見える形の三次元の働きと見えない裏の動きが加わり、スムーズな動きを醸（かも）し出している。前記グリップ部２に腕の重みを載せ、４種類の動き、重力、反発力、可撓力、復元力の力を利用し、うろこ取りを補助する。
【符号の説明】
【００２２】
１  吊下げ支柱
２  グリップ部
３  剥ぎ取り刃部
４  吊下げ竿
５  剥ぎ取り機本体
６  キャスター
７  台車
８  締付け具
９  土台ブロック
１０  固定筒
１１  下端筒
１２  上端筒
１３  下部固定部材
１４  前方支持柱
１５  後方支持柱
１６  上部固定部材
１７  連結パイプ
１８  保持筒
１９  吊り桿
２０  円環
２１  止め金具
２２  ループ
２３  吊り紐
２４  吊下げワイヤー
２５  支持チェーン
２６  電動ドリル
２７  フレキシブルシャフト
２８  電源コード
２９  ＯＮ／ＯＦＦスイッチ
３０  電動機カバー
３１  Ｌ字型パイプ
【図１】
0003207869.tif 000003
【図２】
0003207869.tif 000004
【図３】
0003207869.tif 000005
【図４】
0003207869.tif 000006